【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）が、ユーザ機器基準信号（ＵＥＲＳ）を受信することと、
前記ＵＥが、少なくとも１つの共通基準信号（ＣＲＳ）を受信することと、
前記ＵＥが、それぞれ、前記少なくとも１つのＣＲＳの各々に基づいて、少なくとも１つのＣＲＳタイミング推定値を推定することと、
前記ＵＥが、前記ＵＥＲＳに少なくとも部分的に基づいてＵＥＲＳタイミング推定値を推定することと、
前記ＵＥが、前記ＵＥＲＳタイミング推定値と、前記少なくとも１つのＣＲＳタイミング推定値の各々との間のタイミング差分を決定することと、
前記ＵＥが、前記タイミング差分に基づいて、前記少なくとも１つのＣＲＳタイミング推定値のうちの１つに関連付けられた、アラインされたＣＲＳタイミング推定値を識別することと、
前記ＵＥが、代用のタイミング推定値に基づいて、ダウンリンクデータチャネルで搬送されたデータを復調することと、
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、方法。
【請求項２】
前記ＵＥＲＳタイミング推定値を推定することは、
複数のＵＥＲＳベースのダウンリンクデータチャネルリソースブロック（ＲＢ）にわたって複数のＵＥＲＳトーン上のチャネルごとに周波数ドメインモデリングされたチャネルを生成することと、
前記周波数ドメインモデリングされたチャネルの各々に対して推定器を適用することで、位相ランピングタームを生成することと、
前記推定された位相ランピングタームを前記ＵＥＲＳタイミング推定値にマッピングすることと
を備える、請求項１に記載の方法。
【請求項３】
前記周波数ドメインモデリングされたチャネルは、前記複数のＵＥＲＳトーンのうちの隣接ＵＥＲＳトーン上の隣接チャネルに前記位相ランピングタームを乗じたものを備える、請求項２に記載の方法。
【請求項４】
前記少なくとも１つのＣＲＳを受信することは、サービングＣＲＳおよび非サービングＣＲＳを受信することを備え、
前記少なくとも１つのＣＲＳタイミング推定値を推定することは、サービングＣＲＳタイミング推定値および非サービングＣＲＳタイミング推定値を推定することを含み、
前記アラインされたＣＲＳタイミング推定値は、前記タイミング差分の最小値に関連付けられた前記ＣＲＳタイミング推定値である、請求項１に記載の方法。
【請求項５】
前記ＣＲＳを受信することは、前記少なくとも１つのＣＲＳを複数の送信ポイントから受信することを備える、請求項１に記載の方法。
【請求項６】
前記ＵＥＲＳタイミング推定値は、前記少なくとも１つのＣＲＳタイミング推定値のうちの１つ以上よりも早い、またはそれらと同期である、請求項５に記載の方法。
【請求項７】
前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、請求項１に記載の方法。
【請求項８】
ワイヤレス通信のために構成された装置であって、
ユーザ機器基準信号（ＵＥＲＳ）を受信するための手段と、
少なくとも１つの共通基準信号（ＣＲＳ）を受信するための手段と、
それぞれ、前記少なくとも１つのＣＲＳの各々に基づいて、少なくとも１つのＣＲＳタイミング推定値を推定するための手段と、
前記ＵＥＲＳに少なくとも部分的に基づいてＵＥＲＳタイミング推定値を推定するための手段と、
前記ＵＥＲＳタイミング推定値と、前記少なくとも１つのＣＲＳタイミング推定値の各々との間のタイミング差分を決定するための手段と、
前記タイミング差分に基づいて、前記少なくとも１つのＣＲＳタイミング推定値のうちの１つに関連付けられた、アラインされたＣＲＳタイミング推定値を識別するための手段と、
代用のタイミング推定値に基づいて、ダウンリンクデータチャネルで搬送されたデータを復調するための手段と
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、装置。
【請求項９】
前記ＵＥＲＳタイミング推定値を推定するための手段は、
複数のＵＥＲＳベースのダウンリンクデータチャネルリソースブロック（ＲＢ）にわたって複数のＵＥＲＳトーン上のチャネルごとに周波数ドメインモデリングされたチャネルを生成するための手段と、
前記周波数ドメインモデリングされたチャネルの各々に対して推定器を適用することで、位相ランピングタームを生成するための手段と、
前記推定された位相ランピングタームを前記ＵＥＲＳタイミング推定値にマッピングするための手段と
を備える、請求項８に記載の装置。
【請求項１０】
前記周波数ドメインモデリングされたチャネルは、前記複数のＵＥＲＳトーンのうちの隣接ＵＥＲＳトーン上の隣接チャネルに前記位相ランピングタームを乗じたものを備える、請求項９に記載の装置。
【請求項１１】
前記少なくとも１つのＣＲＳを受信するための手段は、サービングＣＲＳおよび非サービングＣＲＳを受信するための手段を備え、
前記少なくとも１つのＣＲＳタイミング推定値を推定するための手段は、サービングＣＲＳタイミング推定値および非サービングＣＲＳタイミング推定値を推定するための手段を含み、
前記アラインされたＣＲＳタイミング推定値は、前記タイミング差分の最小値に関連付けられた前記ＣＲＳタイミング推定値である、請求項８に記載の装置。
【請求項１２】
前記ＣＲＳを受信するための手段は、複数の送信ポイントから前記少なくとも１つのＣＲＳを受信するための手段を備える、請求項８に記載の装置。
【請求項１３】
前記ＵＥＲＳタイミング推定値は、前記少なくとも１つのＣＲＳタイミング推定値のうちの１つ以上よりも早い、またはそれと同期である、請求項１２に記載の装置。
【請求項１４】
前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、請求項８に記載の装置。
【請求項１５】
ワイヤレスネットワークにおけるワイヤレス通信のためのコンピュータプログラム製品あって、
プログラムコードが記録された非一時的コンピュータ読取可能な媒体を備え、前記プログラムコードは、
ユーザ機器基準信号（ＵＥＲＳ）を受信するためのプログラムコードと、
少なくとも１つの共通基準信号（ＣＲＳ）を受信するためのプログラムコードと、
それぞれ、前記少なくとも１つのＣＲＳの各々に基づいて、少なくとも１つのＣＲＳタイミング推定値を推定するためのプログラムコードと、
前記ＵＥＲＳに少なくとも部分的に基づいてＵＥＲＳタイミング推定値を推定するためのプログラムコードと、
前記ＵＥＲＳタイミング推定値と、前記少なくとも１つのＣＲＳタイミング推定値の各々との間のタイミング差分を決定するためのプログラムコードと、
前記タイミング差分に基づいて、前記少なくとも１つのＣＲＳタイミング推定値のうちの１つに関連付けられたアラインされたＣＲＳタイミング推定値を識別するためのプログラムコードと、
代用のタイミング推定値に基づいて、ダウンリンクデータチャネルで搬送されたデータを復調するためのプログラムコードと、
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、コンピュータプログラム製品。
【請求項１６】
前記ＵＥＲＳタイミング推定値を推定するためのプログラムコードは、
複数のＵＥＲＳベースのダウンリンクデータチャネルリソースブロック（ＲＢ）にわたって複数のＵＥＲＳトーン上のチャネルごとに周波数ドメインモデリングされたチャネルを生成するためのプログラムコードと、
前記周波数ドメインモデリングされたチャネルの各々に対して推定器を適用することで、位相ランピングタームを生成するためのプログラムコードと、
前記推定された位相ランピングタームを前記ＵＥＲＳタイミング推定値にマッピングするためのプログラムコードと
を備える、請求項１５に記載のコンピュータプログラム製品。
【請求項１７】
前記周波数ドメインモデリングされたチャネルは、前記複数のＵＥＲＳトーンのうちの隣接ＵＥＲＳトーン上の隣接チャネルに前記位相ランピングタームを乗じたものを備える、請求項１６に記載のコンピュータプログラム製品。
【請求項１８】
前記少なくとも１つのＣＲＳを受信するための前記プログラムコードは、サービングＣＲＳおよび非サービングＣＲＳを受信するためのプログラムコードを備え、
前記少なくとも１つのＣＲＳタイミング推定値を推定するための前記プログラムコードは、サービングＣＲＳタイミング推定値および非サービングＣＲＳタイミング推定値を推定するためのプログラムコードを含み、
前記アラインされたＣＲＳタイミング推定値は、前記タイミング差分の最小値に関連付けられた前記ＣＲＳタイミング推定値である、請求項１５に記載のコンピュータプログラム製品。
【請求項１９】
前記ＣＲＳを受信するための前記プログラムコードは、前記少なくとも１つのＣＲＳを複数の送信ポイントから受信するためのプログラムコードを備える、請求項１５に記載のコンピュータプログラム製品。
【請求項２０】
前記ＵＥＲＳタイミング推定値は、前記少なくとも１つのＣＲＳタイミング推定値のうちの１つ以上よりも早い、またはそれと同期である、請求項１９に記載のコンピュータプログラム製品。
【請求項２１】
前記平均タイミング誤差推定値は、
前記アラインされたＣＲＳタイミング推定値と、前記ＵＥＲＳタイミング推定値との重み付けされた組み合わせ、および
前記アラインされたＣＲＳタイミング推定値と、前記ＵＥＲＳタイミング推定値との平均
のうちの１つを備える、請求項１５に記載のコンピュータプログラム製品。
【請求項２２】
ワイヤレス通信のために構成された装置であって、
少なくとも１つのプロセッサと、
前記少なくとも１つのプロセッサに結合されたメモリと
を備え、
前記少なくとも１つのプロセッサは、
ユーザ機器基準信号（ＵＥＲＳ）を受信することと、
少なくとも１つの共通基準信号（ＣＲＳ）を受信することと、
それぞれ、前記少なくとも１つのＣＲＳの各々に基づいて、少なくとも１つのＣＲＳタイミング推定値を推定することと、
前記ＵＥＲＳに少なくとも部分的に基づいてＵＥＲＳタイミング推定値を推定することと、
前記ＵＥＲＳタイミング推定値と、前記少なくとも１つのＣＲＳタイミング推定値の各々との間のタイミング差分を決定することと、
前記タイミング差分に基づいて、前記少なくとも１つのＣＲＳタイミング推定値のうちの１つに関連付けられた、アラインされたＣＲＳタイミング推定値を識別することと、
代用のタイミング推定値に基づいて、ダウンリンクデータチャネルで搬送されたデータを復調することと
を実行するように構成され、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、装置。
【請求項２３】
前記ＵＥＲＳタイミング推定値を推定するような前記少なくとも１つのプロセッサの構成は、
複数のＵＥＲＳベースのダウンリンクデータチャネルリソースブロック（ＲＢ）にわたって複数のＵＥＲＳトーン上のチャネルごとに周波数ドメインモデリングされたチャネルを生成することと、
前記周波数ドメインモデリングされたチャネルの各々に対して推定器を適用することで、位相ランピングタームを生成することと、
前記推定された位相ランピングタームを前記ＵＥＲＳタイミング推定値にマッピングすることと
を実行するような前記少なくとも１つのプロセッサの構成を備える、請求項２２に記載の装置。
【請求項２４】
前記周波数ドメインモデリングされたチャネルは、前記複数のＵＥＲＳトーンのうちの隣接ＵＥＲＳトーン上の隣接チャネルに前記位相ランピングタームを乗じたものを備える、請求項２３に記載の装置。
【請求項２５】
前記少なくとも１つのＣＲＳを受信するような前記少なくとも１つのプロセッサの構成は、サービングＣＲＳおよび非サービングＣＲＳを受信するような前記少なくとも１つのプロセッサの構成を備え、
前記少なくとも１つのＣＲＳタイミング推定値を推定するような前記少なくとも１つのプロセッサの構成は、サービングＣＲＳタイミング推定値および非サービングＣＲＳタイミング推定値を推定するような前記少なくとも１つのプロセッサの構成を含み、
前記アラインされたＣＲＳタイミング推定値は、前記タイミング差分の最小値に関連付けられた前記ＣＲＳタイミング推定値である、請求項２２に記載の装置。
【請求項２６】
前記ＣＲＳを受信するような前記少なくとも１つのプロセッサの構成は、複数の送信ポイントから前記少なくとも１つのＣＲＳを受信するような前記少なくとも１つのプロセッサの構成を備える、請求項２２に記載の装置。
【請求項２７】
前記ＵＥＲＳタイミング推定値は、前記少なくとも１つのＣＲＳタイミング推定値のうちの１つ以上よりも早い、またはそれと同期である、請求項２６に記載の装置。
【請求項２８】
前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、請求項２２に記載の装置。
【手続補正２】
【補正対象書類名】明細書
【補正対象項目名】００８５
【補正方法】変更
【補正の内容】
【００８５】
［0093]本開示の先の説明は、本開示を製造または使用することをいずれの当業者にも可能にさせるために提供されている。本開示に対する様々な変更は、当業者には容易に明らかであり、本明細書で定義された包括的な原理は、本開示の精神または範囲から逸脱することなく他の変形例に適用されうる。このように、本開示は、本明細書で説明された例および設計に限定されることは意図しておらず、本明細書に開示された原理および新規な特徴と一致する最も広い範囲が与えられるべきである。
以下に、本願出願の当初の特許請求の範囲に記載された発明を付記する。
［Ｃ１］ワイヤレス通信の方法であって、
ユーザ機器基準信号（ＵＥＲＳ）を受信することと、
少なくとも１つの共通基準信号（ＣＲＳ）を受信することと、
それぞれ、前記少なくとも１つのＣＲＳの各々に基づいて、少なくとも１つのＣＲＳタイミング推定値を推定することと、
前記ＵＥＲＳに少なくとも部分的に基づいてＵＥＲＳタイミング推定値を推定することと、
前記ＵＥＲＳタイミング推定値と、前記少なくとも１つのＣＲＳタイミング推定値の各々との間のタイミング差分を決定することと、
前記タイミング差分に基づいて、前記少なくとも１つのＣＲＳタイミング推定値のうちの１つに関連付けられた、アラインされたＣＲＳタイミング推定値を識別することと、
代用のタイミング推定値に基づいて、ダウンリンクデータチャネルで搬送されたデータを復調することと、
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、方法。
［Ｃ２］前記ＵＥＲＳタイミング推定値を推定することは、
複数のＵＥＲＳベースのダウンリンクデータチャネルリソースブロック（ＲＢ）にわたって複数のＵＥＲＳトーン上のチャネルごとに周波数ドメインモデリングされたチャネルを生成することと、
前記周波数ドメインモデリングされたチャネルの各々に対して推定器を適用することで、位相ランピングタームを生成することと、
前記推定された位相ランピングタームを前記ＵＥＲＳタイミング推定値にマッピングすることと
を備える、［Ｃ１］に記載の方法。
［Ｃ３］前記周波数ドメインモデリングされたチャネルは、前記複数のＵＥＲＳトーンのうちの隣接ＵＥＲＳトーン上の隣接チャネルに前記位相ランピングタームを乗じたものを備える、［Ｃ２］に記載の方法。
［Ｃ４］前記少なくとも１つのＣＲＳを受信することは、サービングＣＲＳおよび非サービングＣＲＳを受信することを備え、
前記少なくとも１つのＣＲＳタイミング推定値を推定することは、サービングＣＲＳタイミング推定値および非サービングＣＲＳタイミング推定値を推定することを含み、
前記アラインされたＣＲＳタイミング推定値は、前記タイミング差分の最小値に関連付けられた前記ＣＲＳタイミング推定値である、［Ｃ１］に記載の方法。
［Ｃ５］前記ＣＲＳを受信することは、前記少なくとも１つのＣＲＳを複数の送信ポイントから受信することを備える、［Ｃ１］に記載の方法。
［Ｃ６］前記ＵＥＲＳタイミング推定値は、前記少なくとも１つのＣＲＳタイミング推定値のうちの１つ以上よりも早い、またはそれらと同期である、［Ｃ５］に記載の方法。
［Ｃ７］前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、［Ｃ１］に記載の方法。
［Ｃ８］ワイヤレス通信のために構成された装置であって、
ユーザ機器基準信号（ＵＥＲＳ）を受信するための手段と、
少なくとも１つの共通基準信号（ＣＲＳ）を受信するための手段と、
それぞれ、前記少なくとも１つのＣＲＳの各々に基づいて、少なくとも１つのＣＲＳタイミング推定値を推定するための手段と、
前記ＵＥＲＳに少なくとも部分的に基づいてＵＥＲＳタイミング推定値を推定するための手段と、
前記ＵＥＲＳタイミング推定値と、前記少なくとも１つのＣＲＳタイミング推定値の各々との間のタイミング差分を決定するための手段と、
前記タイミング差分に基づいて、前記少なくとも１つのＣＲＳタイミング推定値のうちの１つに関連付けられた、アラインされたＣＲＳタイミング推定値を識別するための手段と、
代用のタイミング推定値に基づいて、ダウンリンクデータチャネルで搬送されたデータを復調するための手段と
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、装置。
［Ｃ９］前記ＵＥＲＳタイミング推定値を推定するための手段は、
複数のＵＥＲＳベースのダウンリンクデータチャネルリソースブロック（ＲＢ）にわたって複数のＵＥＲＳトーン上のチャネルごとに周波数ドメインモデリングされたチャネルを生成するための手段と、
前記周波数ドメインモデリングされたチャネルの各々に対して推定器を適用することで、位相ランピングタームを生成するための手段と、
前記推定された位相ランピングタームを前記ＵＥＲＳタイミング推定値にマッピングするための手段と
を備える、［Ｃ８］に記載の装置。
［Ｃ１０］前記周波数ドメインモデリングされたチャネルは、前記複数のＵＥＲＳトーンのうちの隣接ＵＥＲＳトーン上の隣接チャネルに前記位相ランピングタームを乗じたものを備える、［Ｃ９］に記載の装置。
［Ｃ１１］前記少なくとも１つのＣＲＳを受信するための手段は、サービングＣＲＳおよび非サービングＣＲＳを受信するための手段を備え、
前記少なくとも１つのＣＲＳタイミング推定値を推定するための手段は、サービングＣＲＳタイミング推定値および非サービングＣＲＳタイミング推定値を推定するための手段を含み、
前記アラインされたＣＲＳタイミング推定値は、前記タイミング差分の最小値に関連付けられた前記ＣＲＳタイミング推定値である、［Ｃ８］に記載の装置。
［Ｃ１２］前記ＣＲＳを受信するための手段は、複数の送信ポイントから前記少なくとも１つのＣＲＳを受信するための手段を備える、［Ｃ８］に記載の装置。
［Ｃ１３］前記ＵＥＲＳタイミング推定値は、前記少なくとも１つのＣＲＳタイミング推定値のうちの１つ以上よりも早い、またはそれと同期である、［Ｃ１２］に記載の装置。
［Ｃ１４］前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、［Ｃ８］に記載の装置。
［Ｃ１５］ワイヤレスネットワークにおけるワイヤレス通信のためのコンピュータプログラム製品あって、
プログラムコードが記録されたコンピュータ読取可能な媒体を備え、前記プログラムコードは、
ユーザ機器基準信号（ＵＥＲＳ）を受信するためのプログラムコードと、
少なくとも１つの共通基準信号（ＣＲＳ）を受信するためのプログラムコードと、
それぞれ、前記少なくとも１つのＣＲＳの各々に基づいて、少なくとも１つのＣＲＳタイミング推定値を推定するためのプログラムコードと、
前記ＵＥＲＳに少なくとも部分的に基づいてＵＥＲＳタイミング推定値を推定するためのプログラムコードと、
前記ＵＥＲＳタイミング推定値と、前記少なくとも１つのＣＲＳタイミング推定値の各々との間のタイミング差分を決定するためのプログラムコードと、
前記タイミング差分に基づいて、前記少なくとも１つのＣＲＳタイミング推定値のうちの１つに関連付けられたアラインされたＣＲＳタイミング推定値を識別するためのプログラムコードと、
代用のタイミング推定値に基づいて、ダウンリンクデータチャネルで搬送されたデータを復調するためのプログラムコードと、
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、コンピュータプログラム製品。
［Ｃ１６］前記ＵＥＲＳタイミング推定値を推定するためのプログラムコードは、
複数のＵＥＲＳベースのダウンリンクデータチャネルリソースブロック（ＲＢ）にわたって複数のＵＥＲＳトーン上のチャネルごとに周波数ドメインモデリングされたチャネルを生成するためのプログラムコードと、
前記周波数ドメインモデリングされたチャネルの各々に対して推定器を適用することで、位相ランピングタームを生成するためのプログラムコードと、
前記推定された位相ランピングタームを前記ＵＥＲＳタイミング推定値にマッピングするためのプログラムコードと
を備える、［Ｃ１５］に記載のコンピュータプログラム製品。
［Ｃ１７］前記周波数ドメインモデリングされたチャネルは、前記複数のＵＥＲＳトーンのうちの隣接ＵＥＲＳトーン上の隣接チャネルに前記位相ランピングタームを乗じたものを備える、［Ｃ１６］に記載のコンピュータプログラム製品。
［Ｃ１８］前記少なくとも１つのＣＲＳを受信するための前記プログラムコードは、サービングＣＲＳおよび非サービングＣＲＳを受信するためのプログラムコードを備え、
前記少なくとも１つのＣＲＳタイミング推定値を推定するための前記プログラムコードは、サービングＣＲＳタイミング推定値および非サービングＣＲＳタイミング推定値を推定するためのプログラムコードを含み、
前記アラインされたＣＲＳタイミング推定値は、前記タイミング差分の最小値に関連付けられた前記ＣＲＳタイミング推定値である、［Ｃ１５］に記載のコンピュータプログラム製品。
［Ｃ１９］前記ＣＲＳを受信するための前記プログラムコードは、前記少なくとも１つのＣＲＳを複数の送信ポイントから受信するためのプログラムコードを備える、［Ｃ１５］に記載のコンピュータプログラム製品。
［Ｃ２０］前記ＵＥＲＳタイミング推定値は、前記少なくとも１つのＣＲＳタイミング推定値のうちの１つ以上よりも早い、またはそれと同期である、［Ｃ１９］に記載のコンピュータプログラム製品。
［Ｃ２１］前記平均タイミング誤差推定値は、
前記アラインされたＣＲＳタイミング推定値と、前記ＵＥＲＳタイミング推定値との重み付けされた組み合わせ、および
前記アラインされたＣＲＳタイミング推定値と、前記ＵＥＲＳタイミング推定値との平均
のうちの１つを備える、［Ｃ１５］に記載のコンピュータプログラム製品。
［Ｃ２２］ワイヤレス通信のために構成された装置であって、
少なくとも１つのプロセッサと、
前記少なくとも１つのプロセッサに結合されたメモリと
を備え、
前記少なくとも１つのプロセッサは、
ユーザ機器基準信号（ＵＥＲＳ）を受信することと、
少なくとも１つの共通基準信号（ＣＲＳ）を受信することと、
それぞれ、前記少なくとも１つのＣＲＳの各々に基づいて、少なくとも１つのＣＲＳタイミング推定値を推定することと、
前記ＵＥＲＳに少なくとも部分的に基づいてＵＥＲＳタイミング推定値を推定することと、
前記ＵＥＲＳタイミング推定値と、前記少なくとも１つのＣＲＳタイミング推定値の各々との間のタイミング差分を決定することと、
前記タイミング差分に基づいて、前記少なくとも１つのＣＲＳタイミング推定値のうちの１つに関連付けられた、アラインされたＣＲＳタイミング推定値を識別することと、
代用のタイミング推定値に基づいて、ダウンリンクデータチャネルで搬送されたデータを復調することと
を実行するように構成され、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、装置。
［Ｃ２３］前記ＵＥＲＳタイミング推定値を推定するような前記少なくとも１つのプロセッサの構成は、
複数のＵＥＲＳベースのダウンリンクデータチャネルリソースブロック（ＲＢ）にわたって複数のＵＥＲＳトーン上のチャネルごとに周波数ドメインモデリングされたチャネルを生成することと、
前記周波数ドメインモデリングされたチャネルの各々に対して推定器を適用することで、位相ランピングタームを生成することと、
前記推定された位相ランピングタームを前記ＵＥＲＳタイミング推定値にマッピングすることと
を実行するような前記少なくとも１つのプロセッサの構成を備える、［Ｃ２２］に記載の装置。
［Ｃ２４］前記周波数ドメインモデリングされたチャネルは、前記複数のＵＥＲＳトーンのうちの隣接ＵＥＲＳトーン上の隣接チャネルに前記位相ランピングタームを乗じたものを備える、［Ｃ２３］に記載の装置。
［Ｃ２５］前記少なくとも１つのＣＲＳを受信するような前記少なくとも１つのプロセッサの構成は、サービングＣＲＳおよび非サービングＣＲＳを受信するような前記少なくとも１つのプロセッサの構成を備え、
前記少なくとも１つのＣＲＳタイミング推定値を推定するような前記少なくとも１つのプロセッサの構成は、サービングＣＲＳタイミング推定値および非サービングＣＲＳタイミング推定値を推定するような前記少なくとも１つのプロセッサの構成を含み、
前記アラインされたＣＲＳタイミング推定値は、前記タイミング差分の最小値に関連付けられた前記ＣＲＳタイミング推定値である、［Ｃ２２］に記載の装置。
［Ｃ２６］前記ＣＲＳを受信するような前記少なくとも１つのプロセッサの構成は、複数の送信ポイントから前記少なくとも１つのＣＲＳを受信するような前記少なくとも１つのプロセッサの構成を備える、［Ｃ２２］に記載の装置。
［Ｃ２７］前記ＵＥＲＳタイミング推定値は、前記少なくとも１つのＣＲＳタイミング推定値のうちの１つ以上よりも早い、またはそれと同期である、［Ｃ２６］に記載の装置。
［Ｃ２８］前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、［Ｃ２２］に記載の装置。